(57)【要約】【課題】通常時の取水流量を制限することなく、低コストで、潮位の異常低下時において送水ポンプが継続して運転可能な量の海水を確保することができる取水設備を提供する。【解決手段】取水槽６に送水ポンプ１１が設けられている取水設備１において、海水の入口となる取水口８の開口部１５に潮位が所定の高さよりも低下すると開口部１５を閉じ、取水設備１内に貯留されている海水の流出を防止し、潮位が所定の高さよりも上昇すると開口部１５を開く開閉装置２１を備え、開口部１５が全閉となるときの取水槽６の水位を送水ポンプ１１の吸込限界深さＨ６よりも高く設定することで、通常時の取水流量を制限することなく、潮位の異常低下時においても送水ポンプ１１が継続して運転可能な量の海水を確保する。【選択図】図５
2014074305.tif 000002
【特許請求の範囲】
【請求項１】
取水槽に送水ポンプを備える取水設備において、
海水の入口となる取水口の開口部に、潮位が所定の高さよりも低下すると前記開口部を閉じ前記取水設備内に貯留されている海水の流出を防止し、潮位が所定の高さよりも上昇すると前記開口部を開く開閉装置を備え、
前記開口部が全閉となるときの取水槽の水位が前記送水ポンプの吸込限界深さよりも高いことを特徴とする取水設備。
【請求項２】
前記開閉装置は、前記開口部を閉じる仕切板と、
前記仕切板の動作方向を上下方向に規制するスライドガイドと、
浮力で浮揚する浮きと、
前記仕切板と前記浮きとを繋ぐ連結具と、を含み、
前記浮きが潮位変動により上下動することで前記仕切板が上下動して前記開口部を開閉し、
前記連結具の長さを調節することで前記仕切板が前記開口部を開閉する潮位を容易に調節可能に構成したことを特徴とする請求項１に記載の取水設備。
【請求項３】
前記開閉装置は、前記仕切板を上下両方向から開閉させる開閉機構を備え、前記仕切板を一方向から開閉させる場合に比して半分のストロークで前記開口部の開閉を行い、前記開口部が閉まり始めてから全閉となるまでに必要な潮位変動を半減可能なことを特徴とする請求項２に記載の取水設備。
【請求項４】
前記開閉装置は、前記仕切板に代えて、前記開口部全体を覆うことが可能な開閉蓋を含み、前記開閉蓋が上下動して前記開口部の開閉を行うことを特徴とする請求項２に記載の取水設備。
【請求項５】
前記開閉装置は、前記スライドガイドに代えて、前記仕切板を前記開口部の内側に回動させる蝶番を含み、前記浮きの潮位変動による上下動に連動して前記仕切板を回動させることで前記開口部の開閉を行うことを特徴とする請求項２に記載の取水設備。
【発明の詳細な説明】
【技術分野】
【０００１】
本発明は、潮位の異常低下時においても送水ポンプの運転を継続して行うことが可能な取水設備に関する。
【背景技術】
【０００２】
火力発電所や原子力発電所などの発電所には、発電所内で発生する熱を除去するための熱交換器へ冷却用の海水を供給する取水設備が設けられている。冷却用の海水は、沖合に設置される取水口から取り込まれ、取水路を通り、送水ポンプが設置される取水槽に貯留される。取水槽は、通常の干潮位において送水ポンプが十分送水可能な量の海水を貯留できるように設置高さが決められている。また取水口は、温度の低い海水を取込むために水深の深い場所へ設置されることが多く、取水槽よりも低い場所に設置されることが多い。
【０００３】
地震等による引き潮発生時において、取水槽に貯留されている水位よりも潮位が低下すると取水槽に貯留されている海水が逆流して取水口から流出する。取水槽の水位が低下し、送水ポンプの有効吸込ヘッドが必要吸込ヘッドを下回ると送水することができなくなる。発電所では、取水槽の水位が一定以下になると発電を停止するように構成されているが、発電停止後においても引き続き冷却を行う熱交換器があり、引き潮が終わるまでの間、送水ポンプが継続して送水可能な量の海水を取水槽に確保しておく必要がある。
【０００４】
そこで、取水路内に一定の高さの堰を設置し、潮位低下時において必要な海水量を確保する技術が提案されている（例えば特許文献１、特許文献２参照）。
【先行技術文献】
【特許文献】
【０００５】
【特許文献１】特開平５−１９０９２号公報
【特許文献２】特開平９−５４１９０号公報
【発明の概要】
【発明が解決しようとする課題】
【０００６】
特許文献１及び特許文献２に記載の発明のように堰を設けると取水路を流れる海水の流量が大幅に制限され、通常の運転に支障をきたす恐れがある。また建設コストが膨大となる。
【０００７】
本発明の目的は、通常時の取水流量を制限することなく、低コストで、潮位の異常低下時においても送水ポンプが継続して運転可能な量の海水を確保することができる取水設備を提供することである。
【課題を解決するための手段】
【０００８】
本発明は、取水槽に送水ポンプを備える取水設備において、海水の入口となる取水口の開口部に、潮位が所定の高さよりも低下すると前記開口部を閉じ前記取水設備内に貯留されている海水の流出を防止し、潮位が所定の高さよりも上昇すると前記開口部を開く開閉装置を備え、前記開口部が全閉となるときの取水槽の水位が前記送水ポンプの吸込限界深さよりも高いことを特徴とする取水設備である。
【０００９】
本発明によれば、本発明の取水設備は、海水の入口となる取水口の開口部に潮位が所定の高さよりも低下すると前記開口部を閉じ、前記取水設備内に貯留されている海水の流出を防止し、潮位が所定の高さよりも上昇すると前記開口部を開く開閉装置を備えるので、地震等により引き潮が発生し潮位が異常低下しても取水口からの海水の流出を防止することができる。このとき開閉装置は、取水槽の水位が送水ポンプの吸込限界深さよりも高い位置で前記開口部を全閉とするので送水ポンプが継続して運転可能な量の海水を取水槽に確保することができる。また通常の潮位においては、開口部は全開であるので前記開閉装置が取水流量を制限することはなく、通常運転を支障なく行うことができる。
【００１０】
また本発明において、前記開閉装置は、前記開口部を閉じる仕切板と、前記仕切板の動作方向を上下方向に規制するスライドガイドと、浮力で浮揚する浮きと、前記仕切板と前記浮きとを繋ぐ連結具と、を含み、前記浮きが潮位変動により上下動することで前記仕切板が上下動して前記開口部を開閉し、前記連結具の長さを調節することで前記仕切板が前記開口部を開閉する潮位を容易に調節可能に構成したことを特徴とする。
【００１１】
本発明によれば、前記開閉装置は、前記開口部を開閉する仕切板と潮位変動により上下動する浮きとが連結具を介して連結された構成からなるので、設置時のみならず設置後においても前記連結具の長さを調節することで、前記開口部を開閉する潮位を容易に調節することができる。また前記開閉装置は、構造が簡単なため低コストで設置することができ、また開閉動作に電源が不要なので災害時においても問題なく使用することができる。
【００１２】
また本発明において、前記開閉装置は、前記仕切板を上下両方向から開閉させる開閉機構を備え、前記仕切板を一方向から開閉させる場合に比して半分のストロークで前記開口部の開閉を行い、前記開口部が閉まり始めてから全閉となるまでに必要な潮位変動を半減可能なことを特徴とする。
【００１３】
本発明によれば、前記仕切板を一方向から開閉させる場合に比して半分のストロークで前記開口部の開閉を行うことができる、仕切板を上下両方向から開閉させる開閉装置を備えるので、開口部が閉まり始めてから全閉となるまでに必要な潮位変動を半減させることができる。これにより取水口の形状や設置高さの自由度が高まる。
【００１４】
また本発明において、前記開閉装置は、前記仕切板に代えて、前記開口部全体を覆うことが可能な開閉蓋を含み、前記開閉蓋が上下動して前記開口部の開閉を行うことを特徴とする。
【００１５】
本発明によれば、前記開閉蓋が上下動して前記開口部の開閉を行うので、構成をさらに単純化することができる。
【００１６】
また本発明において、前記開閉装置は、前記スライドガイドに代えて、前記仕切板を前記開口部の内側に回動させる蝶番を含み、前記浮きの潮位変動による上下動に連動して前記仕切板を回動させることで前記開口部の開閉を行うことを特徴とする。
【００１７】
本発明によれば、仕切板を回動させる方式の開閉装置によっても潮位の異常低下時において送水ポンプが送水可能な量の海水を確保することができる。仕切板は、開くときには開口部の内側に回動し、閉じるときには開口部に対して内側から外側に向けて押すように作用するので、開口部閉塞時には内側からの水圧も加わることで仕切板が確実に閉止し、取水槽の海水を確保することができる。
【発明の効果】
【００１８】
本発明によれば、通常時の取水流量を制限することなく、低コストで、潮位の異常低下時においても送水ポンプが継続して運転可能な量の海水を確保することができるという効果を奏する。
【図面の簡単な説明】
【００１９】
【図１】本発明の第１実施形態である取水設備１の全体構成を示す図である。
【図２】図１の取水口８の横部分断面図である。
【図３】図１の取水口８の縦部分断面図である。
【図４】図３の開閉装置２１の拡大図である。
【図５】図１の取水設備１の動作、作用を説明するための図である。
【図６】本発明の第２実施形態である取水設備２の全体構成及び動作、作用を説明するための図である。
【図７】本発明の第３実施形態である取水設備の取水口８の縦部分断面図である。
【図８】本発明の第４実施形態である取水設備の取水口８の縦部分断面図である。
【図９】本発明の第５実施形態である取水設備の開閉装置２５の縦断面図である。
【発明を実施するための形態】
【００２０】
図１は、本発明の第１実施形態である取水設備１の全体構成を示す図である。また図２は、図１の取水口８の横部分断面図である。また図３は、図１の取水口８の縦部分断面図である。また図４は、図３の開閉装置２１の拡大図である。また図５は、図１の取水設備１の動作、作用を説明するための図である。まず取水設備１の全体構成について説明し、続いて取水口開口部１５の開閉潮位について説明し、その後、動作、作用について説明する。
【００２１】
取水設備１は、海岸付近に設置され発電所９１に設置される熱交換器（図示省略）に冷却用の海水を供給する設備であって、海水を熱交換器へ送水する送水ポンプ１１が設置される取水槽６と、取水槽６と取水口８とを連結する取水路７と、沖合に設置され海水を取込む取水口８と、を含み、取水口８から取込まれた海水が取水路７を通り取水槽６に貯留され、送水ポンプ１１によって熱交換器へ送水される。
【００２２】
送水ポンプ１１と取水槽６と取水路７とは、従来の取水設備と同様であるため構成についての説明は省略する。
【００２３】
取水口８は、中心に導水孔１３を有し取水路７と接続される円板状の基台１６と、基台１６の上面に放射線状に一定間隔で複数設けられ上蓋１２を支持する仕切壁１４と、仕切壁１４の上面に設けられ取水口８の上方を塞ぐ円板状の上蓋１２とを含み、基台１６と仕切壁１４と上蓋１２とで区切られ形成された海水の取込み口となる複数の開口部１５を有する。各開口部１５には、所定の潮位において開口部１５を開閉する開閉装置２１が設けられている。海水は、取水口８の側面方向から取込まれ、導水孔１３を通じて取水路７へ導入される。
【００２４】
開閉装置２１は、開口部１５を閉塞する仕切板３４と、仕切板３４の両脇に設けられ仕切板３４の動作方向を上下方向に規制するスライドガイド３３と、浮力で浮揚する浮き３１と、仕切板３４と浮き３１とを繋ぐ連結具３２と、を含み、浮き３１の浮力と海面８１の潮位変動とにより仕切板３４を上下動させて開口部１５を開閉する。各開閉装置２１は、潮位変動に応じて同じ動きをする。
【００２５】
仕切板３４は、開口部１５を閉塞可能な形状の板であり、仕切板３４の下部両端には、上昇時にスライドガイド３３からの抜けを防止する抜け止め５２が設けられている。仕切板３４の厚さや材質は、水圧で破損しないように適宜決めればよい。
【００２６】
スライドガイド３３は、仕切壁１４に隣接して外側に配置され、仕切板３４が上下スライド自在に嵌り込む溝５８が設けられており、上端には仕切板３４の上昇時に抜け止め５２が係止するストッパー５１が設けられている。スライドガイド３３と仕切板３４とは、開口部１５を閉塞したときに内側からの水圧により密接（圧接）することで海水の流出を防止可能なように設置される。スライドガイド３３は、例えばＨ形鋼を縦に配置したものを好適に用いることができる。
【００２７】
浮き３１は、浮力が仕切板３４の質量よりも大きいものを使用し、仕切板３４を浮力により上昇させる。
【００２８】
連結具３２は、ロープ状であり、両端が仕切板３４の上部と浮き３１の下部とに結ばれて取付けられており、長さを容易に調節することができる。
【００２９】
続いて取水口開口部１５の開閉潮位について説明する。表１は、図５に記載の潮位、取水槽水位の一覧を示している。
【００３０】
【表１】
2014074305.tif 000003
【００３１】
海面８１は、通常時において満潮位Ｈ１と干潮位Ｈ２との間で変動する。本実施形態における潮位の異常低下は、地震等により引き潮が発生し、海面８１が干潮位Ｈ２よりも大幅に低下する状況を想定する。
【００３２】
取水槽６は、上端の高さが干潮位Ｈ２よりも低くなるように設置されている。このため通常時、潮位は、常に取水槽６の上端を上回っており、取水槽６は満水である。また取水槽６は、上端の高さが取水口８の上端の高さよりも高くなるように設置されている。このため地震等により引き潮が発生し潮位が異常低下して取水槽水面８２の高さを下回ると、開閉装置２１の動作を無視した場合、取水槽６内の海水が取水口８側に逆流し、潮位の低下に伴い取水槽水面８２の高さも潮位に追従して低下する。
【００３３】
また取水槽６には、特筆すべき水位として送水ポンプ吸込限界深さＨ６と発電下限水位Ｈ４とがある。
【００３４】
送水ポンプ吸込限界深さＨ６は、送水ポンプ１１の有効吸込ヘッドと必要吸込ヘッドとが等しくなる水位であり、取水槽水面８２の高さが送水ポンプ吸込限界深さＨ６よりも低下すると送水不能となる。送水ポンプ吸込限界深さＨ６は、送水ポンプ１１の性能や設置状態に依存し、設置時には既知である。
【００３５】
発電下限水位Ｈ４は、送水ポンプ吸込限界深さＨ６よりも高い位置に設定され、取水槽水面８２の高さが発電下限水位Ｈ４を下回ると発電を停止する。つまり発電下限水位Ｈ４は、送水ポンプ吸込限界深さＨ６まで取水槽水面８２が到達し送水不能となる前に一定の安全率をとって発電を停止するように設定されている。
【００３６】
開口部閉塞開始潮位（開口部全開潮位）Ｈ３は、開口部１５が閉まり始める潮位であり、開口部全閉潮位（開口部開口開始潮位）Ｈ５は、開口部１５が全閉となる潮位である。開口部閉塞開始潮位Ｈ３と開口部全閉潮位Ｈ５との潮位差は、開口部１５の開閉ストロークと等しくなる。開閉装置２１の連結具３２の長さを調節することで、この開口部全開潮位Ｈ３と開口部全閉潮位Ｈ５とを任意に設定することができる。
【００３７】
開口部閉塞開始潮位Ｈ３は、通常時に仕切板３４が下降して取水を妨げないように干潮位Ｈ２よりも低い位置に設定される。このため通常時において、開閉装置２１が取水の抵抗となることはない。
【００３８】
開口部全閉潮位Ｈ５は、送水ポンプ吸込限界深さＨ６よりも高い位置に設定される。このため送水ポンプ１１は、潮位が開口部全閉潮位Ｈ５まで低下し、取水口８からの取水が停止された後も、取水停止時の取水槽水面８２の高さとなる開口部全閉潮位Ｈ５から送水ポンプ吸込限界深さＨ６までの海水量８３を送水することができる。この量は、少なくとも潮位が再び開口部全閉潮位Ｈ５まで上昇し、取水が再開されるまでの間、熱交換器が必要とする海水量とする。なお潮位低下後、取水が再開されるまでの時間は、適宜想定して決めればよい。
【００３９】
続いて本発明の取水設備１の動作、作用について説明する。図５（ａ）は、通常の潮位における取水設備１の状態を示す。また図５（ｂ）は、海面８１が開口部全閉潮位Ｈ５まで低下したときの取水設備１の状態を示す。また図５（ｃ）は、開口部全閉潮位Ｈ５に到達後さらに潮位が低下したときの取水設備１の状態を示す。
【００４０】
通常の潮位において仕切板３４は、浮き３１の浮力により常に上昇しており、開口部１５が全開となっているため、開閉装置２１は、取水時の抵抗とならず流量が制限されることなく海水を取込むことができる。
【００４１】
地震等により引き潮が発生し、潮位が開口部閉塞開始潮位Ｈ３まで低下すると、その後は浮き３１が潮位の低下に追従し、それに連動して仕切板３４が徐々に下降する。この間、潮位が取水槽水面８２まで低下すると海水が逆流して取水口８から流出するため、取水槽水面８２も潮位に追従して低下し、発電下限水位Ｈ４を下回ると発電が停止する。そして潮位が開口部全閉潮位Ｈ５に達すると開口部１５が全閉となり海水の流出が防止され、取水槽水面８２の高さは開口部全閉潮位Ｈ５に一致する。その後は、潮位がさらに低下しても開口部１５は全閉となっているため海水が流出することはない。
【００４２】
開口部全閉潮位Ｈ５は、送水ポンプ吸込限界深さＨ６よりも高いので、送水ポンプ１１は、開口部全閉潮位Ｈ５から送水ポンプ吸込限界深さＨ６までの海水量８３を送水することが可能であり、熱交換器への送水を継続して行うことができる。
【００４３】
引き潮が終わり、潮位が再び開口部開口開始潮位Ｈ５まで上昇すると、浮き３１の上昇に連動して仕切板３４が徐々に上昇し、開口部１５が開き始め、海水が取水設備１に流入する。そして潮位が開口部全開潮位Ｈ３に達すると開口部１５が全開となり、通常の状態に復帰する。
【００４４】
以上のように第１実施形態の取水設備１は、地震等により引き潮が発生し潮位が異常低下しても取水口８からの海水の流出を防止する開閉装置２１を備え、開閉装置２１は、取水槽６の水位が送水ポンプ吸込限界深さＨ６よりも高い位置で開口部１５を全閉とするので送水ポンプ１１は、運転を継続することができる。また通常の潮位においては、開閉装置２１は全開であるので開閉装置２１が取水流量を制限することはなく、通常運転を支障なく行うことができる。
【００４５】
また第１実施形態の取水設備１は、開口部全開潮位Ｈ３及び開口部全閉潮位Ｈ５は、連結具３２の長さを変更することで容易に調節可能であり使い勝手が良い。また開閉装置２１は、構造が簡単なため低コストで設置することができ、また開閉動作に電源が不要なので災害時においても問題なく使用することができる。
【００４６】
図６は、本発明の第２実施形態である取水設備２の全体構成及び動作、作用を説明するための図である。第１実施形態に示す取水設備１と同一の構成には、同一の符号を付して説明を省略する。なお図６（ａ）は、通常の潮位における取水設備２の状態を示し、図６（ｂ）は、海面８１が開口部全閉潮位Ｈ５まで低下したときの取水設備２の状態を示す。
【００４７】
第２実施形態に示す取水設備２の構成は、第１実施形態に示す取水設備１の構成と基本的に同じであるが、第２実施形態の取水設備２では、浮き３１を常に海面８１で視認することができるようにスライドガイド３７が上方に延長された開閉装置２２が設けられている。取水口開口部１５の開閉潮位は、第１実施形態の取水設備１と同様に設定すればよい。取水設備２では、浮き３１を常に視認可能であるため、取水口８の位置を海上から即座に把握することができる。
【００４８】
図７は、本発明の第３実施形態である取水設備の取水口８の縦部分断面図である。第１実施形態に示す取水設備１と同一の構成には、同一の符号を付して説明を省略する。第３実施形態に示す取水設備の構成は、第１実施形態に示す取水設備１の構成と基本的に同じであるが、開閉装置の構成が異なる。
【００４９】
本発明に係る取水設備において、取水口開口部１５の開閉潮位は、開口部全開潮位Ｈ３を干潮位Ｈ２よりも低い位置とし、開口部全閉潮位Ｈ５を送水ポンプ吸込限界深さＨ６よりも高い位置として設定するが、取水流量を確保するために開口部１５の高さを高くする必要がある場合等においては、干潮位Ｈ２と送水ポンプ吸込限界深さＨ６との高低差よりも開口部１５の開閉ストロークの方が大きくなり、上記のように開閉潮位を設定することができないことがある。そこで第３実施形態の開閉装置２３では、開口部１５の開閉ストロークを半減させるべく仕切板を上下２枚に分割した構成としている。
【００５０】
第３実施形態の開閉装置２３は、浮き３１と、連結具３２と、スライドガイド３３と、開口部１５の上半分を上から閉じる上側仕切板３５と、開口部１５の下半分を下から閉じる下側仕切板３６と、下側仕切板３６を上昇させるバネ５４と、バネ５４を支持するシャフト５５と、浮き３１の上下動に対して下側仕切板３６を逆方向に上下動させる滑車５６と、を含む。浮き３１と連結具３２とは、上側仕切板３５に一対、下側仕切板３６に一対、それぞれ取付けられる。また浮き３１は、上側仕切板３５用と下側仕切板３６用とで同一の高さに設定される。
【００５１】
上側仕切板３５は、縦が第１実施形態の仕切板３４のおよそ半分の長さであり、第１実施形態の仕切板３４と同様、浮き３１の上下動に連動して上下動し、下部両端に抜け止め５２が設けられている。
【００５２】
下側仕切板３６の大きさは、上側仕切板３５と同一である。連結具３２は、下側仕切板３６の下部に取付けられ、基台１６の下面に設置された滑車５６を介して、基台１６に設けられた貫通孔７２に通され、浮き３１に取付けられる。また下側仕切板３６の上部両端の内側には、バネ５４を受けるバネ受け５３が設けられており、バネ受け５３とバネ５４とは、基台１６に固定されたシャフト５５に摺動自在に支持されている。また下側仕切板３６の上昇時には、シャフト頭部５７によりバネ受け５３が係止され抜けを防止する。
【００５３】
浮き３１が上昇すると、上側仕切板３５は上昇して抜け止め５２がストッパー５１に係止され、下側仕切板３６は滑車５６を介して連結具３２に引っ張られることで下降して収納口７１に収まり、開口部１５が全開となる。潮位が低下し浮き３１が下降すると、上側仕切板３５は下降し、下側仕切板３６はバネ５４の弾性力により上昇する。そして潮位が開口部全閉潮位Ｈ５まで低下すると、上側仕切板３５の下面と下側仕切板３６の上面とが開口部１５の中央で密接（圧接）し、開口部１５が全閉となる。
【００５４】
上記のように構成される第３実施形態の取水設備は、開口部１５の開閉ストロークを半減することができ、開口部１５の開閉潮位の設定上の制約を低減することができる。これにより取水口の形状設計や設置高さの自由度が高まる。
【００５５】
図８は、本発明の第４実施形態である取水設備の取水口８の縦部分断面図である。第１実施形態に示す取水設備１と同一の構成には、同一の符号を付して説明を省略する。
【００５６】
第４実施形態に示す取水設備の構成は、第１実施形態に示す取水設備１の構成と基本的に同じであるが、開閉装置の構成が異なる。第１実施形態の開閉装置２１は、各開口部１５に一つずつ設けられていたが、第４実施形態の開閉装置２４は、一つで全ての開口部１５を開閉するように構成されている。
【００５７】
開閉装置２４は、浮き３１と、連結具３２と、開口部１５全体を覆うことが可能な開閉蓋３８と、開閉蓋３８の動作方向を上下方向に規制する柱状のスライドガイド３９と、を含み、浮き３１は、連結具３２を介して開閉蓋３８に取付けられており、潮位変動による浮き３１の上下動に連動して開閉蓋３８が上下動し、開口部１５を開閉する。
【００５８】
開閉蓋３８は、取水口８の上蓋１２を上から覆う椀形状をしており中心にスライドガイド３９が挿通する挿通孔が設けられている。潮位が開口部全閉潮位Ｈ５まで低下し、開閉蓋３８が下降すると全ての開口部１５が全閉となり海水の流出を防止することができる。
【００５９】
スライドガイド３９は、取水口８の上蓋１２の上部中心に取付けられており、開閉蓋３８を上下スライド自在に支持する。またスライドガイド３９の上端には、開閉蓋３８の抜けを防止するストッパー５９が設けられている。
【００６０】
第４実施形態の取水設備においても開口部１５の開閉潮位の設定については、第１実施形態の取水設備１と同様である。上記のように構成される第４実施形態の取水設備は、構成をより単純化することができる。
【００６１】
図９は、本発明の第５実施形態である取水設備の開閉装置２５の縦断面図である。第１実施形態に示す取水設備１と同一の構成には、同一の符号を付して説明を省略する。
【００６２】
第５実施形態に示す取水設備の構成は、第１実施形態に示す取水設備１の構成と基本的に同じであるが、仕切板を上下にスライドさせる方式に代えて、蝶番６１によって回動させる方式としている。また取水口は、仕切板６０の回動時に仕切壁１４と干渉しないように形状が矩形等に適宜変更される。
【００６３】
第５実施形態の開閉装置２５は、浮き３１と、連結具３２と、連結具３２に取付けられ開口部１５を閉じるときに上蓋１２に設けられた貫通孔６４を塞ぐ封止具６３と、開口部１５を開閉する回動式の仕切板６０と、仕切板６０を回動可能に支持する蝶番６１と、開口部１５を閉じるときに仕切板６０と当接するストッパー６２と、を含み、浮き３１の上下動に連動して仕切板６０が回動して開口部１５を開閉する。
【００６４】
第５実施形態の取水設備においても開口部１５の開閉潮位の設定は、第１実施形態の取水設備１と同様である。仕切板６０によって開口部１５を閉じたときには、内側からの水圧により仕切板６０とストッパー６２とが密接（圧接）し、海水の流出を効果的に防止することができる。このように仕切板を回動式としても開口部１５の開閉を容易に行うことができ、潮位の異常低下時に海水を確保することができる。
【００６５】
以上、第１から第５実施形態の取水設備を用いて説明したように本発明の取水設備を用いると、通常時の取水流量を制限することなく、低コストで、潮位の異常低下時において送水ポンプが継続して運転可能な量の海水を確保することができる。
【００６６】
本発明において通常時の取水流量を制限することなく、潮位の異常低下時において送水ポンプ１１が継続して運転可能な量の海水を確保するための最低限の条件は、開口部全開潮位Ｈ３が干潮位Ｈ２よりも低いことと、開口部全閉潮位Ｈ５が送水ポンプ吸込限界深さＨ６よりも高いことである。上記の条件の元で確保する海水量を適宜想定し、開口部全開潮位Ｈ３と開口部全閉潮位Ｈ５とを設定すればよい。
【００６７】
本発明の取水設備は、上記実施形態に限定されるものではなく、要旨を変更しない範囲で種々の形態に変更し使用することができる。例えば、第１実施形態において開口部全閉潮位Ｈ５は、発電下限水位Ｈ４と送水ポンプ吸込限界深さＨ６との間に設定したため、潮位低下時において取水槽水面８２の高さが発電下限水位Ｈ４を下回ると発電を停止したが、開口部全閉潮位Ｈ５を発電下限水位Ｈ４よりも高い位置に設定し、発電に必要な海水量を確保することができれば、発電を継続させることができる。
【００６８】
また第１実施形態の取水設備１の取水槽６は、上端の高さが干潮位Ｈ２よりも低くなるように設置されているが、本発明の取水設備の取水槽は、これに限定されず、上端の高さが干潮位Ｈ２よりも高くなる位置に設置されていてもよい。
【００６９】
また仕切板やスライドガイド、ストッパー等に海水の漏れを防止するパッキン（図示省略）を適宜設けてもよく、連結具３２は、ロープ状ではなく剛性のある棒状の部材を使用してもよい。また上記実施形態に示す取水設備は、発電所の取水設備であるが、本発明の取水設備は、発電所以外の取水設備にも適用することができる。
【符号の説明】
【００７０】
１、２                        取水設備
６                            取水槽
８                            取水口
１１                          送水ポンプ
１５                          開口部
２１、２２、２３、２４、２５  開閉装置
３１                          浮き
３２                          連結具
３３、３７、３９              スライドガイド
３４、６０                    仕切板
３５                          上側仕切板
３６                          下側仕切板
３８                          開閉蓋
６１                          蝶番
８１                          海面
８２                          取水槽水面
Ｈ３                          開口部全開潮位（開口部閉塞開始潮位）
Ｈ５                          開口部全閉潮位（開口部開口開始潮位）
Ｈ６                          送水ポンプ吸込限界深さ
【図１】
2014074305.tif 000004
【図２】
2014074305.tif 000005
【図３】
2014074305.tif 000006
【図４】
2014074305.tif 000007
【図５】
2014074305.tif 000008
【図６】
2014074305.tif 000009
【図７】
2014074305.tif 000010
【図８】
2014074305.tif 000011
【図９】
2014074305.tif 000012